(57)【要約】【課題】作業者の技量に寄らず、枠材の養生をより確実に行うこと。【解決手段】樹脂によって構成された樹脂枠部１２Ｂを有する下枠１２を躯体に取り付ける場合に適用する枠用養生カバー１２０であって、定形状を成し、下枠１２において躯体との取付部分８７，８８を外部に露出させた状態で下枠１２に対して着脱可能に取り付けられるカバー体１２４を有し、カバー体１２４は、樹脂部である樹脂枠部１２Ｂを含む内周側の見込み面を覆うものであり、カバー体１２４の両側縁部には、相互に対向する方向に向けて延在し、互いの間に下枠１２を挟持する挟持片部１２２，１２３が設けられている。【選択図】図７
2019190013.tif 000002
【特許請求の範囲】
【請求項１】
樹脂によって構成された樹脂部を有する枠材を躯体に取り付ける場合に適用する枠用養生カバーであって、
定形状を成し、前記枠材において前記躯体との取付部分を外部に露出させた状態で前記枠材に対して着脱可能に取り付けられ、少なくとも前記樹脂部を覆うカバー体を有したことを特徴とする枠用養生カバー。
【請求項２】
前記カバー体は、樹脂によって構成された樹脂枠部を有する縦枠もしくは下枠に取り付けられ、前記樹脂枠部を前記樹脂部としてこれを含む内周側の見込み面を覆うものであり、
前記カバー体には、前記縦枠もしくは前記下枠を挟持する２つの挟持片部が設けられていることを特徴とする請求項１に記載の枠用養生カバー。
【請求項３】
前記挟持片部は、互いに延在長さが異なるように設けられており、
延在長さの短い挟持片部の先端縁部には、もう一方の挟持片部に対して反対側となる部位に規制突部が設けられていることを特徴とする請求項２に記載の枠用養生カバー。
【請求項４】
前記挟持片部は、基端部分が互いに漸次離反するように延在し、かつ先端部分が互いに近接する方向に屈曲して延在するとともに、互いに延在長さが異なるように設けられており、
延在長さの短い挟持片部の先端縁部には、もう一方の挟持片部に対して対向する部位に係合突部が設けられていることを特徴とする請求項２に記載の枠用養生カバー。
【請求項５】
前記カバー体は、金属によって構成された金属枠部と、樹脂によって構成された樹脂枠部とを有した上枠に取り付けられ、前記樹脂枠部を前記樹脂部として前記金属枠部から露出した上面及び見付け面を覆うものであり、
前記カバー体の一側縁部には、前記金属枠部に係止される係止部が設けられていることを特徴とする請求項１に記載の枠用養生カバー。
【請求項６】
前記カバー体には、前記樹脂枠部の上方を覆う上方カバー部と、前記上方カバー部の他側縁部から下方に向けて延在し、前記樹脂枠部の見付け面を覆う見付けカバー部とが設けられ、
前記見付けカバー部は、先端部に向けて前記上方カバー部との挟角が漸次増大するように前記上方カバー部に対して傾斜した部分を有していることを特徴とする請求項５に記載の枠用養生カバー。
【発明の詳細な説明】
【技術分野】
【０００１】
本発明は、枠用養生カバーに関するものである。
【背景技術】
【０００２】
コンクリート等の非木材によって構成された躯体の開口部に対して枠体を取り付ける場合には、開口部の内周面から突出させた鉄筋と、枠体に設けた金属製のアンカーブラケットとの間を溶接により接合させる方法が多く用いられている。この方法は、必ずしもアルミニウム合金等の金属によって構成された枠体のみならず、樹脂によって構成された樹脂部を有するものについても同様に適用されている（例えば、特許文献１参照）。
【先行技術文献】
【特許文献】
【０００３】
【特許文献１】特開２００８−２３１８４０号公報
【発明の概要】
【発明が解決しようとする課題】
【０００４】
溶接作業中においては、周囲に火の粉が飛散するおそれがある。飛散した火の粉が樹脂部に接触すると、焦げたり溶けたりする等、表面が汚損するおそれがある。このため従来では、布等の柔軟性を有したシート材によって養生を行うようにしている。すなわち、それぞれの枠材の樹脂部を覆うようにシート材を巻き付け、さらに巻き付けたシート材が脱落しないように粘着テープで枠材に保持させ、その後に溶接作業を行うようにしている。こうした養生方法は、枠材や樹脂部の形状に応じてシート材を巻き付けることができるため、汎用性の点で有利ではある。しかしながら、上述の養生方法は、シート材の巻き厚が十分でなかったり、シート材で覆われていない樹脂部が存在したりする等々、作業者の技量に寄って養生の良否に差が生じるおそれがある。
【０００５】
本発明は、上記実情に鑑みて、作業者の技量に寄らず、枠材の養生をより確実に行うことのできる枠用養生カバーを提供することを目的とする。
【課題を解決するための手段】
【０００６】
上記目的を達成するため、本発明に係る枠用養生カバーは、樹脂によって構成された樹脂部を有する枠材を躯体に取り付ける場合に適用する枠用養生カバーであって、定形状を成し、前記枠材において前記躯体との取付部分を外部に露出させた状態で前記枠材に対して着脱可能に取り付けられ、少なくとも前記樹脂部を覆うカバー体を有したことを特徴とする。
【０００７】
この発明によれば、カバー体が定形状に構成しているため、作業者の技量に寄らず、覆うべき部分がカバー体によって確実に覆われることになり、枠材に取り付けた場合に隙間が生じるおそれがない。従って、溶接作業によって枠体を躯体に取り付ける際に周囲に火の粉が飛散したとしても樹脂部が汚損される事態を招来することがない。
【０００８】
また本発明は、上述した枠用養生カバーにおいて、前記カバー体は、樹脂によって構成された樹脂枠部を有する縦枠もしくは下枠に取り付けられ、前記樹脂枠部を前記樹脂部としてこれを含む内周側の見込み面を覆うものであり、前記カバー体には、前記縦枠もしくは前記下枠を挟持する２つの挟持片部が設けられていることを特徴とする。
【０００９】
この発明によれば、挟持片部の間に縦枠もしくは下枠を配置すれば、樹脂部である樹脂枠部を覆うことができるため、養生作業を容易化することができる。
【００１０】
また本発明は、上述した枠用養生カバーにおいて、前記挟持片部は、互いに延在長さが異なるように設けられており、延在長さの短い挟持片部の先端縁部には、もう一方の挟持片部に対して反対側となる部位に規制突部が設けられていることを特徴とする。
【００１１】
この発明によれば、互いに逆向きの姿勢で端部を重ねて複数の枠用養生カバーを連続させた場合に延在長さの長い挟持片部の先端縁部が延在長さの短い挟持片部の規制突部に当接し、カバー体の間に隙間が確保された状態となる。従って、枠体の取り付け作業が終了した後に枠用養生カバーを容易に分解することができるようになる。
【００１２】
また本発明は、上述した枠用養生カバーにおいて、前記挟持片部は、基端部分が互いに漸次離反するように延在し、かつ先端部分が互いに近接する方向に屈曲して延在するとともに、互いに延在長さが異なるように設けられており、延在長さの短い挟持片部の先端縁部には、もう一方の挟持片部に対して対向する部位に係合突部が設けられていることを特徴とする。
【００１３】
この発明によれば、互いに逆向きの姿勢で端部を重ねて複数の枠用養生カバーを連続させた場合に延在長さの長い挟持片部の屈曲部に対して延在長さの短い挟持片部の係合突部が係合し、カバー体の間に隙間が確保された状態となる。従って、枠体の取り付け作業が終了した後に枠用養生カバーを容易に分解することができるようになる。
【００１４】
また本発明は、上述した枠用養生カバーにおいて、前記カバー体は、金属によって構成された金属枠部と、樹脂によって構成された樹脂枠部とを有した上枠に取り付けられ、前記樹脂枠部を前記樹脂部として前記金属枠部から露出した上面及び見付け面を覆うものであり、前記カバー体の一側縁部には、前記金属枠部に係止される係止部が設けられていることを特徴とする。
【００１５】
この発明によれば、係止部を上枠の金属枠部に係止させれば、樹脂部である樹脂枠部を覆うことができるため、養生作業を容易化することができる。
【００１６】
また本発明は、上述した枠用養生カバーにおいて、前記カバー体には、前記樹脂枠部の上方を覆う上方カバー部と、前記上方カバー部の他側縁部から下方に向けて延在し、前記樹脂枠部の見付け面を覆う見付けカバー部とが設けられ、前記見付けカバー部は、先端部に向けて前記上方カバー部との挟角が漸次増大するように前記上方カバー部に対して傾斜した部分を有していることを特徴とする。
【００１７】
この発明によれば、見付けカバー部が外側に開くように傾斜しているため、互いに端部を重ねて複数の養生カバーを連続させる場合の作業を容易に行うことができる。
【発明の効果】
【００１８】
本発明によれば、定形状に構成しているため、作業者の技量に寄らず、覆うべき部分がカバー体によって確実に覆われることになり、枠材に取り付けた場合に隙間が生じるおそれがない。従って、溶接作業によって枠体を躯体に取り付ける際に周囲に火の粉が飛散したとしても樹脂部が汚損される事態を招来することがない。
【図面の簡単な説明】
【００１９】
【図１】本発明の実施の形態である枠用養生カバーを取付状態の枠体を示す斜視図である。
【図２】図１に示した枠体及び枠用養生カバーの縦断面図である。
【図３】図１に示した枠体及び枠用養生カバーの横断面図である。
【図４】図１に示した枠体及び養生カバーの要部を示すもので、（ａ）は上枠及び枠用養生カバーの縦断面図、（ｂ）は上枠用の養生カバーの側面図である。
【図５】図１に示した枠体及び養生カバーの要部を示すもので、（ａ）は左縦枠及び枠用養生カバーの要部縦断面図、（ｂ）は左縦枠用の養生カバーの側面図である。
【図６】図１に示した枠体及び養生カバーの要部を示すもので、右縦枠及び枠用養生カバーの要部縦断面図である。
【図７】図１に示した枠体及び養生カバーの要部を示すもので、下枠及び枠用養生カバーの要部縦断面図である。
【発明を実施するための形態】
【００２０】
以下、添付図面を参照しながら本発明に係る枠用養生カバーの好適な実施の形態について詳細に説明する。
図１〜図６は、本発明の実施の形態である枠用養生カバーを取り付けた枠体を示したものである。ここで例示する枠体１０は、コンクリートによって構成された躯体Ｂの開口部ＢＷに対して取り付けられる引き違い窓用のもので、四周枠組みした上枠１１、下枠１２及び左右の縦枠１３，１４を有している。枠体１０を構成する上枠１１、下枠１２及び縦枠１３，１４（以下、これらを総称する場合には単に「枠材１１，１２，１３，１４」という）は、それぞれがアルミニウム合金等の金属から成る金属枠部１１Ａ，１２Ａ，１３Ａ，１４Ａと、樹脂から成る樹脂枠部（樹脂部）１１Ｂ，１２Ｂ，１３Ｂ，１４Ｂとを有して構成したものである。
【００２１】
以下、枠体１０を構成するそれぞれの枠材１１，１２，１３，１４について詳述する。なお、以下においては便宜上、躯体Ｂの開口部ＢＷに取り付けた状態の姿勢で枠材１１，１２，１３，１４の説明を行うこととする。また、以下においては、見込み方向及び見付け方向という用語を用いる。見込み方向とは、図中の矢印Ａで示すように、建具の奥行きに沿った方向である。見込み方向に沿った面については見込み面と称する場合がある。見付け方向は、上枠１１や下枠１２等のように水平方向に沿って延在するものの場合、見込み方向に直交した上下に沿う方向である。縦枠１３，１４等のように上下方向に沿って延在するものの場合には、見込み方向に直交した水平に沿う方向を見付け方向という。見付け方向に沿った面については、見付け面と称する場合がある。
【００２２】
（上枠１１について）
図４に示すように、上枠１１の金属枠部１１Ａは、見込み方向に沿ってほぼ水平に延在する上枠基部２１を有している。上枠基部２１の下面には、２つの上方ガイドヒレ部２２，２３が下方に向けて突出するように設けてあり、上枠基部２１の室外側に位置する縁部には、上外方見付けヒレ部２４が上下に突出するように設けてある。２つの上方ガイドヒレ部２２，２３及び上外方見付けヒレ部２４は、互いにほぼ平行となる状態で上枠１１の長手に沿った全長に延在している。上外方見付けヒレ部２４において上枠基部２１の上方に突出する部分は、上端部が室内側に向けてほぼ直角に屈曲した後、上方に向けてほぼ直角に屈曲している。上外方見付けヒレ部２４において屈曲した部分よりもわずかに下方となる部位には、室内側に向けてほぼ直角に突出した上外方取付ヒレ部（躯体との取付部分）２５が設けてある。
【００２３】
また、上枠基部２１の室内側に位置する縁部には、上内方見付けヒレ部２６が上下に突出するように設けてあり、上枠基部２１の上面には、上内方見付けヒレ部２６と室内側の上方ガイドヒレ部２３との間に対応する部位に上方支持ヒレ部２７が上方に向けて突出するように設けてある。上内方見付けヒレ部２６及び上方支持ヒレ部２７は、上外方見付けヒレ部２４に対してほぼ平行となる状態で上枠１１の長手に沿った全長に延在している。上内方見付けヒレ部２６の上枠基部２１から上方への突出寸法は、上外方見付けヒレ部２４よりも十分に小さく（図示の例ではほぼ１／８）構成してある。上方支持ヒレ部２７は、上外方取付ヒレ部２５に対向する部分が室外側に向けてほぼ直角に屈曲して上内方取付ヒレ部（躯体との取付部分）２８を構成している。図からも明らかなように、上枠基部２１の上面において上外方見付けヒレ部２４と上方支持ヒレ部２７との間に位置する部分にはビスホール２１ａ，２１ｂが２つ設けてあり、上方支持ヒレ部２７と上内方見付けヒレ部２６との間に位置する部分には、ビスホール２１ｃが１つ設けてある。
【００２４】
上枠１１の樹脂枠部１１Ｂは、上枠基部２１の下面において室内側の上方ガイドヒレ部２３と上内方見付けヒレ部２６との間に装着されるもので、上枠１１の長手に沿った全長に設けてある。本実施の形態では、上樹脂基板部３１、カバー板部３２、上内方見付け板部３３を一体に成形した樹脂枠部１１Ｂを適用している。上樹脂基板部３１は、上枠基部２１の下面に沿って延在するものである。カバー板部３２は、上樹脂基板部３１の室外側に位置する縁部から下方に向けて突出したもので、上方ガイドヒレ部２３とほぼ同じ長さを有するように構成してある。上内方見付け板部３３は、上内方見付けヒレ部２６に沿って下方に突出した後、室内側に向けてほぼ直角に屈曲したものである。
【００２５】
（室内側から見て左側に配置される縦枠１３について）
室内側から見て左側に配置される縦枠（以下、区別する場合に左縦枠１３という）の金属枠部１３Ａは、図５に示すように、見込み方向に沿ってほぼ鉛直に延在する左縦枠基部４１を有している。左縦枠基部４１の内周側表面には、左引込ヒレ部４２及び左係止突部４３が内周側に向けて突出するように設けてあり、左縦枠基部４１の室外側に位置する縁部には、左外方見付けヒレ部４４が左右に突出するように設けてある。左引込ヒレ部４２及び左外方見付けヒレ部４４は、互いにほぼ平行となる状態で左縦枠１３の長手に沿った全長に延在している。左係止突部４３は、左引込ヒレ部４２よりも室内側に位置する部分に設けたもので、内周側に突出した後に室内側に向けて屈曲している。左外方見付けヒレ部４４において左縦枠基部４１の外周側に突出する部分は、外周端部が室内側に向けてほぼ直角に屈曲した後、外周側に向けてほぼ直角に屈曲している。左外方見付けヒレ部４４において屈曲した部分よりもわずかに内周側となる部位には、室内側に向けてほぼ直角に突出した左外方取付ヒレ部（躯体との取付部分）４５が設けてある。
【００２６】
また、左縦枠基部４１の室内側に位置する縁部には、左内方見付けヒレ部４６が内周側に突出するように設けてあり、左縦枠基部４１の外周側表面には、室内側に片寄った部位に左方支持ヒレ部４７が外周側に向けて突出するように設けてある。左内方見付けヒレ部４６及び左方支持ヒレ部４７は、左外方見付けヒレ部４４に対してほぼ平行となる状態で左縦枠１３の長手に沿った全長に延在している。左内方見付けヒレ部４６の延在縁部は、室外側に向けてわずかに屈曲している。左内方見付けヒレ部４６の左縦枠基部４１から内周側への突出寸法は、左外方見付けヒレ部４４よりも小さく（図示の例ではほぼ１／３）構成してある。左方支持ヒレ部４７は、左外方取付ヒレ部４５に対向する部分が室外側に向けてほぼ直角に屈曲して左内方取付ヒレ部（躯体との取付部分）４８を構成している。
【００２７】
左縦枠１３の樹脂枠部１３Ｂは、左縦枠基部４１の内周側面において左係止突部４３と左内方見付けヒレ部４６との間に装着されるもので、左縦枠１３の長手に沿った全長に設けてある。本実施の形態では、左樹脂基板部５１、内周膨出板部５２、左内方見付け板部５３を一体に成形した樹脂枠部１３Ｂを適用している。左樹脂基板部５１は、左縦枠基部４１の内周側面に沿って延在するものである。左樹脂基板部５１の室内側に位置する縁部は、左内方見付けヒレ部４６の屈曲した延在縁部に係合している。内周膨出板部５２は、左樹脂基板部５１の室外側に位置する縁部から内周側に突出した後、室外側に向けて延在し、さらに外周側に屈曲したものである。この内周膨出板部５２は、室外側に位置する縁部が左縦枠基部４１の左係止突部４３に係合している。左内方見付け板部５３は、左内方見付けヒレ部４６に沿って内周側に突出した後、室内側に向けてほぼ直角に屈曲したものである。
【００２８】
（室内側から見て右側に配置される縦枠１４について）
室内側から見て右側に配置される縦枠（以下、区別する場合に右縦枠１４という）の金属枠部１４Ａは、図６に示すように、左縦枠１３に対してほぼ対称となる形状を成すものである。より具体的に説明すると、見込み方向に沿ってほぼ鉛直に延在する右縦枠基部６１を有し、この右縦枠基部６１に対して右外方見付けヒレ部６２、右外方取付ヒレ部（躯体との取付部分）６３、右内方見付けヒレ部６４、右方支持ヒレ部６５、右内方取付ヒレ部（躯体との取付部分）６６が、左縦枠１３の左外方見付けヒレ部４４、左外方取付ヒレ部４５、左内方見付けヒレ部４６、左方支持ヒレ部４７、左内方取付ヒレ部４８と対称となるように設けてある。右引込ヒレ部６７及び右係止突部６８は、左縦枠１３の左引込ヒレ部４２及び左係止突部４３よりも室内側に片寄った位置に設けてある。
【００２９】
右縦枠１４の樹脂枠部１４Ｂは、右縦枠基部６１の内周側面において右係止突部６８と右内方見付けヒレ部６４との間に装着されるもので、右縦枠１４の長手に沿った全長に設けてある。本実施の形態では、右樹脂基板部７１及び右内方見付け板部７２を一体に成形した樹脂枠部１４Ｂを適用している。右樹脂基板部７１は、右縦枠基部６１の内周側面に沿って延在するものである。この右樹脂基板部７１は、室内側に位置する縁部が右内方見付けヒレ部６４の屈曲した延在縁部に係合し、かつ室外側に位置する縁部が右縦枠基部６１の右係止突部６８に係合している。右内方見付け板部７２は、右内方見付けヒレ部６４に沿って内周側に突出した後、室内側に向けてほぼ直角に屈曲したものである。
【００３０】
右縦枠１４において右外方見付けヒレ部６２から右内方見付け板部７２の屈曲端縁までの距離は、左縦枠１３において左外方見付けヒレ部４４から左内方見付け板部５３の屈曲端縁までの距離と同一となるように構成してある。
【００３１】
（下枠１２について）
図７に示すように、下枠１２の金属枠部１２Ａは、室外側に向けて漸次低くなるように傾斜して延在する下枠基部８１を有している。下枠基部８１の上面には、２つの下方ガイドヒレ部８２，８３が上方に向けて突出するように設けてあり、下枠基部８１の室外側に位置する縁部には、下外方見付けヒレ部８４が上方に突出するように設けてある。２つの下方ガイドヒレ部８２，８３及び下外方見付けヒレ部８４は、互いにほぼ平行となる状態で下枠１２の長手に沿った全長に延在している。
【００３２】
また、下枠基部８１の室内側に位置する縁部には、下内方見付けヒレ部８５が上下に突出するように設けてあり、下枠基部８１の下面には、下外方見付けヒレ部８４と室内側の下方ガイドヒレ部８３との間となる部位に中空部構成ヒレ部８６が設けてある。下内方見付けヒレ部８５は、下外方見付けヒレ部８４に対してほぼ平行となる状態で下枠１２の長手に沿った全長に延在している。下内方見付けヒレ部８５の下枠基部８１からの上下への突出寸法は、それぞれ下方ガイドヒレ部８２，８３とほぼ同等となるように構成してある。下内方見付けヒレ部８５において下枠基部８１から下方に突出する部分は、下端部が室外側に向けてほぼ直角に屈曲して下内方取付ヒレ部（躯体との取付部分）８７を構成している。中空部構成ヒレ部８６は、下枠基部８１との間に中空部を構成するもので、第１ヒレ部８６ａ、第２ヒレ部８６ｂ、第３ヒレ部８６ｃ及び第４ヒレ部８６ｄを有している。第１ヒレ部８６ａは、下枠基部８１の下面において室外側に位置する部分から下方に延在したものである。第２ヒレ部８６ｂは、第１ヒレ部８６ａの下端部から室内側に向けて屈曲して延在したものである。第３ヒレ部８６ｃは、第２ヒレ部８６ｂの室内側に位置する部分から上方に向けて屈曲した後、さらに室内側に向けて屈曲したものである。第４ヒレ部８６ｄは、第３ヒレ部８６ｃの室内側に位置する部分から室内側に向けて漸次上方となるように傾斜延在し、延在縁部が下枠基部８１の下面に連結したものである。第３ヒレ部８６ｃには、下外方取付ヒレ部（躯体との取付部分）８８が設けてある。下外方取付ヒレ部８８は、下方に延在した後、室内側に向けてほぼ直角に屈曲したものである。
【００３３】
下枠１２の樹脂枠部１２Ｂは、下枠基部８１の上面において２つの下方ガイドヒレ部８２，８３の間に装着される外方樹脂部１２Ｂａと、室内側の下方ガイドヒレ部８３と下内方見付けヒレ部８５との間に装着される内方樹脂部１２Ｂｂとを有している。外方樹脂部１２Ｂａ及び内方樹脂部１２Ｂｂは、それぞれ下枠１２の長手に沿った全長に設けてある。外方樹脂部１２Ｂａは、平板状を成す外樹脂基板部９１の下面に２つの外係合板部９２を有したもので、外係合板部９２を介して下枠基部８１に装着してある。内方樹脂部１２Ｂｂは、内樹脂基板部９３の下面に２つの内係合板部９４を有したもので、内係合板部９４を介して下枠基部８１に装着してある。図からも明らかなように、内樹脂基板部９３は、下方ガイドヒレ部８３と下内方見付けヒレ部８５との間において下枠基部８１に沿って延在した後、室内側の縁部が下内方見付けヒレ部８５に沿って上方に延在し、さらに室内側に向けてほぼ直角に屈曲して延在している。
【００３４】
下枠１２において下外方見付けヒレ部８４から内樹脂基板部９３の屈曲端縁までの距離は、左縦枠１３において左外方見付けヒレ部４４から左内方見付け板部５３の屈曲端縁までの距離と同一となるように構成してある。
【００３５】
なお、図２に示すように、下枠１２の上面において長手の両端となる部位には、図示せぬ障子のスライドを制限するための樹脂製のストッパ部材（樹脂部）１００，１０１が２つの下方ガイドヒレ部８２，８３に架け渡すように装着してある。
【００３６】
（枠体１０の躯体Ｂへの取り付けについて）
上記のように構成した枠材１１，１２，１３，１４は、四周枠組みした枠体１０の状態で、図２及び図３に示すように、それぞれの外方取付ヒレ部２５，４５，６３，８８と内方取付ヒレ部２８，４８，６６，８７との間に鋼材から成るアンカー部材Ｕ１，Ｕ２，Ｕ３，Ｕ４が装着され、躯体Ｂの開口部ＢＷに配置される。枠体１０が配置される躯体Ｂの開口部ＢＷには、予め鋼材から成るアングル材ＡＧ１，ＡＧ２，ＡＧ３，ＡＧ４が四周に配設してある。アングル材ＡＧ１，ＡＧ２，ＡＧ３，ＡＧ４には、枠体１０のアンカー部材Ｕ１，Ｕ２，Ｕ３，Ｕ４に対応する部位にそれぞれ接合用の丸鋼Ｌ１，Ｌ２，Ｌ３，Ｌ４が溶着してある。従って、この状態からアンカー部材Ｕ１，Ｕ２，Ｕ３，Ｕ４とアングル材ＡＧ１，ＡＧ２，ＡＧ３，ＡＧ４の丸鋼Ｌ１，Ｌ２，Ｌ３，Ｌ４との間を溶接によって接合すれば、枠体１０を躯体Ｂに固定することが可能となる。
【００３７】
しかしながら、それぞれの枠材１１，１２，１３，１４には、樹脂枠部１１Ｂ，１２Ｂ，１３Ｂ，１４Ｂやストッパ部材１００，１０１等のように樹脂によって構成された樹脂部が設けられているため、そのままの状態で溶接作業を実施した場合、樹脂部の表面が焦げたり溶けたりするおそれがある。
【００３８】
このため、本発明においては、個々の枠材１１，１２，１３，１４に対して定形状を成す養生カバー１１０，１２０を装着し、樹脂部が汚損する事態を防止するようにしている。定形状とは、布等の柔軟性を有したものではなく、一定の形を呈した状態を維持するもので、例えば金属や樹脂によって成形されたものである。本実施の形態では、下記に示す養生カバー１１０，１２０として、いずれもアルミニウム合金等の金属によって成形した押し出し形材から成るものを適用している。
【００３９】
（上枠１１用の養生カバー１１０について）
上枠１１において溶接作業の際に外部に露出する樹脂部は、上内方見付け板部３３において上内方見付けヒレ部２６よりも下方に突出した部分となる。そこで、上枠１１用の養生カバー１１０としては、上内方見付け板部３３の上方を覆う上方カバー部１１１と、上内方見付け板部３３の室内に臨む見付け面を覆う見付けカバー部１１２とを有したカバー体１１３を備えるものを適用している。より具体的に説明すると、上方カバー部１１１は、見込み方向に沿って延在する平板状を成すもので、見込み方向に沿った寸法が上内方見付け板部３３において見込み方向に沿って延在する部分よりも大きな長さを有するように構成してある。上方カバー部１１１の一側縁部には、係止部１１４が設けてある。係止部１１４は、養生カバー１１０を上枠１１に係止させるためのもので、下方に開口した溝状に構成してある。すなわち、上方カバー部１１１の一側縁部から上方に向けて屈曲した第１係止片部１１４ａと、第１係止片部１１４ａの上端縁から室外側に向けて屈曲した第２係止片部１１４ｂと、第２係止片部１１４ｂの延在縁部から下方に向けて屈曲した第３係止片部１１４ｃと、第３係止片部１１４ｃの延在縁部から室外側に向けて延在した第４係止片部１１４ｄと、第４係止片部１１４ｄの延在縁部から下方に向けて屈曲した第５係止片部１１４ｅとを有して係止部１１４が構成してある。図からも明らかなように、第１係止片部１１４ａは、第３係止片部１１４ｃ及び第５係止片部１１４ｅの合計高さよりも大きな寸法を有するように構成してある。第３係止片部１１４ｃの内表面から第５係止片部１１４ｅの外表面までの距離ｄ１は、上枠１１の上内方見付けヒレ部２６において上枠基部２１よりも上方に突出する部分とこれに隣接するビスホール２１ｃとの間の距離とほぼ等しくなるように構成してある。また、第１係止片部１１４ａと第３係止片部１１４ｃとの外表面間距離ｄ２は、第１係止片部１１４ａと第５係止片部１１４ｅとの内表面間距離ｄ３とほぼ等しくなるように構成してある。見付けカバー部１１２は、上方カバー部１１１の他側縁部から下方に向けて延在したものである。図からも明らかなように、見付けカバー部１１２の下端部は、下方に向かうに従って上方カバー部１１１との挟角αが漸次増大するように上方カバー部１１１に対して傾斜している。
【００４０】
上記のように構成した上枠１１用の養生カバー１１０は、係止部１１４を上枠１１の上内方見付けヒレ部２６に係止させれば、上内方見付けヒレ部２６が第１係止片部１１４ａと第３係止片部１１４ｃとの間において第２係止片部１１４ｂの下面に当接し、かつ第５係止片部１１４ｅがビスホール２１ｃに当接した状態に維持される。この状態においては、上方カバー部１１１が上内方見付けヒレ部２６の上方を覆い、かつ見付けカバー部１１２が上内方見付けヒレ部２６の見付け面を覆うことになる。
【００４１】
上述したように、養生カバー１１０は、アルミニウム合金等の金属によって成形した定形状を成すものである。従って、係止部１１４を上内方見付けヒレ部２６に係止させさえすれば、作業者の技量に寄らず、常に上枠１１の上内方見付け板部３３が不足なく覆われた状態となる。これにより、枠材１１，１２，１３，１４に装着したアンカー部材Ｕ１，Ｕ２，Ｕ３，Ｕ４とアングル材ＡＧ１，ＡＧ２，ＡＧ３，ＡＧ４の丸鋼Ｌ１，Ｌ２，Ｌ３，Ｌ４との間を溶接することによって周囲に火の粉が飛散したとしても、飛散した火の粉が上枠１１の上内方見付け板部３３に接触する事態が招来されることはない。しかも、上枠１１に対しては、単に係止部１１４を上枠１１に係合させただけであるから、溶接終了後に上枠１１から養生カバー１１０を取り外す際の作業が煩雑化することもない。
【００４２】
（縦枠１３，１４及び下枠１２用の養生カバー１２０について）
縦枠１３，１４において溶接作業の際に外部に露出する樹脂部は、それぞれの樹脂枠部１３Ｂ，１４Ｂとなる。また下枠１２において溶接作業の際に外部に露出する樹脂部は、外方樹脂部１２Ｂａ、内方樹脂部１２Ｂｂ及びストッパ部材１００，１０１となる。つまり、縦枠１３，１４及び下枠１２においては、いずれも内周側の見込み面を覆えば、火の粉が樹脂枠部１３Ｂ，１４Ｂ、外方樹脂部１２Ｂａ、内方樹脂部１２Ｂｂ及びストッパ部材１００，１０１に到達するおそれがなくなる。そこで、これらの枠材１２，１３，１４用の養生カバー１２０としては、枠材１２，１３，１４の内周側見込み面を覆う見込みカバー部１２１と、見込みカバー部１２１の両側縁部に設けた挟持片部１２２，１２３とを有したカバー体１２４を備えるものを適用している。なお、縦枠１３，１４用の養生カバー１２０と下枠１２用の養生カバー１２０とは、互いに同一の形状を有したものであるため、以下においては、下枠１２用のものを代表して説明を行うこととする。
【００４３】
養生カバー１２０の見込みカバー部１２１は、見込み方向に沿って延在する平板状を成すもので、見込み方向に沿った寸法が、下枠１２において下外方見付けヒレ部８４から内樹脂基板部９３の屈曲端縁までの距離よりも短い寸法となるように構成してある。挟持片部１２２，１２３は、見込みカバー部１２１の両側縁部から相互に対向する方向に向けて延在したものである。本実施の形態では、挟持片部１２２，１２３の基端部分１２２ａ，１２３ａが、互いに漸次離反するように傾斜延在するものを適用している。挟持片部１２２，１２３の先端部分１２２ｂ，１２３ｂは、互いに近接する方向に屈曲し、相互間隔が下枠１２において下外方見付けヒレ部８４から内樹脂基板部９３の屈曲端縁までの距離とほぼ等しくなるように構成してある。図からも明らかなように、挟持片部１２２，１２３は、互いに延在長さが異なるように設けてある。延在長さの短い挟持片部（以下、区別する場合に挟持短片部１２３という）は、延在長さの長い挟持片部（以下、区別する場合に挟持長片部１２２という）に比べて基端部分１２３ａ及び先端部分１２３ｂのそれぞれが短く構成してある。挟持短片部１２３の延在縁部には、２つの係合突部１２５，１２６、規制突部１２７及び段状突部１２８が設けてあり、挟持長片部１２２の延在縁部には、内向突部１２９が設けてある。係合突部１２５，１２６は、挟持短片部１２３の内側面から内方に向けて突出したもので、互いの間に間隔を確保した２位置に設けてある。先端側の係合突部１２５は、基端側の係合突部１２６よりも突出寸法が小さく構成してある。規制突部１２７は、挟持短片部１２３の外側面から外側に向けて突出したものである。段状突部１２８は、挟持短片部１２３の外側面において規制突部１２７よりもわずかに基端側となる部位から外側に向けて突出したものである。内向突部１２９は、挟持長片部１２２の内側面から内方に向けて突出したものである。また、挟持長片部１２２には、屈曲部の外側となる部分がわずかに突出し、引掛用突部１３０を構成している。
【００４４】
上記のように構成した養生カバー１２０は、挟持片部１２２，１２３の相互間に下枠１２を配置すれば、養生カバー１２０の弾性により、例えば下外方見付けヒレ部８４に挟持長片部１２２が圧接され、かつ内方樹脂部１２Ｂｂの内樹脂基板部９３に挟持短片部１２３が圧接された状態に維持される。この状態においては、見込みカバー部１２１及び２つの挟持片部１２２，１２３が下枠１２の内周側見込み面を覆うことになる。同様に、挟持片部１２２，１２３の相互間に左縦枠１３を配置すれば、養生カバー１２０の弾性により、左外方見付けヒレ部４４に挟持長片部１２２が圧接され、かつ左内方見付け板部５３に挟持短片部１２３が圧接された状態に維持される。また、挟持片部１２２，１２３の相互間に右縦枠１４を配置すれば、養生カバー１２０の弾性により、例えば右外方見付けヒレ部６２に挟持長片部１２２が圧接され、かつ右内方見付け板部７２に挟持短片部１２３が圧接された状態に維持される。
【００４５】
上述したように、養生カバー１２０は、アルミニウム合金等の金属によって成形した定形状を成すものである。従って、挟持片の相互間に下枠１２や縦枠１３，１４を配置しさえすれば、作業者の技量に寄らず、常にそれぞれの樹脂枠部１３Ｂ，１４Ｂ、外方樹脂部１２Ｂａ、内方樹脂部１２Ｂｂ及びストッパ部材１００，１０１が不足なく覆われた状態となる。これにより、枠材１１，１２，１３，１４に装着したアンカー部材Ｕ１，Ｕ２，Ｕ３，Ｕ４とアングル材ＡＧ１，ＡＧ２，ＡＧ３，ＡＧ４の丸鋼Ｌ１，Ｌ２，Ｌ３，Ｌ４との間を溶接することによって周囲に火の粉が飛散したとしても、飛散した火の粉が縦枠１３，１４の樹脂枠部１３Ｂ，１４Ｂや下枠１２の外方樹脂部１２Ｂａ、内方樹脂部１２Ｂｂ及びストッパ部材１００，１０１に接触する事態が招来されることはない。しかも、枠材１２，１３，１４に対しては、単に挟持片部１２２，１２３の間に配置しただけであるから、溶接終了後に枠材１２，１３，１４から養生カバー１２０を取り外す際の作業が煩雑化することもない。
【００４６】
（溶接作業について）
実際に溶接作業によって枠体１０を躯体Ｂに取り付ける場合には、図１に示すように、予め上枠１１、下枠１２及び左右の縦枠１３，１４の全長をそれぞれの養生カバー１１０，１２０によって覆った状態とする。養生カバー１１０，１２０によって覆う順番としては、下枠１２、縦枠１３，１４、上枠１の順番に行うことが好ましい。このとき、養生カバー１１０，１２０に対して枠材１１，１２，１３，１４の長手寸法が大きい場合には、互いに端部を重ねて複数の養生カバー１１０，１２０をつなぎ合わせ、合計寸法を枠材１１，１２，１３，１４の寸法に合わせれば良い。
【００４７】
具体的に説明すると、上枠１１用の養生カバー１１０については、同じ向きの姿勢で端部を重ね合わせれば、図４に示すように、上内方見付けヒレ部２６の上方及び上内方見付けヒレ部２６の見付け面を隙間無く覆うことが可能となる。このとき、上方カバー部１１１に対して見付けカバー部１１２が漸次広がるように延在しているため、互いに端部を重ねる作業を容易に行うことができる。また、上に重ねた養生カバー１１０の第１係止片部１１４ａと第５係止片部１１４ｅとの間に下の養生カバー１１０の第１係止片部１１４ａと第３係止片部１１４ｃとが嵌まり込む形となり、互いの間に隙間が確保された状態となる。従って、養生カバー１１０が相互に吸着する等の問題を招来するおそれがなく、溶接作業が終了した後に互いに重ねた養生カバー１１０を容易に分解することが可能である。
【００４８】
縦枠１３，１４及び下枠１２の養生カバー１２０については、図５〜図７に示すように、互いに逆向きの姿勢で端部を重ね合わせれば、縦枠１３，１４の樹脂枠部１３Ｂ，１４Ｂを含む内周側の見込み面及び下枠１２の外方樹脂部１２Ｂａ、内方樹脂部１２Ｂｂ及びストッパ部材１００，１０１を含む内周側の見込み面をそれぞれ隙間無く覆うことが可能となる。下枠１２については、養生カバー１２０の重ね合わせ方向に制限はないが、縦枠１３，１４については、上方に配置した養生カバー１２０が下方に配した養生カバー１２０の上に重なるように配置することが好ましい。このとき、挟持片部１２２，１２３の基端部分１２２ａ，１２３ａが傾斜しているため、互いに端部を重ねる作業を容易に行うことができる。また、上に重ねた養生カバー１２０の挟持長片部１２２が下の養生カバー１２０の挟持短片部１２３に設けた規制突部１２７に当接し、挟持長片部１２２の内向突部１２９が規制突部１２７と段状突部１２８との間の窪みに係合されることになる。さらに、上に重ねた養生カバー１２０の挟持短片部１２３は、先端側の係合突部１２５が挟持長片部１２２の引掛用突部１３０を乗り越えた後、基端側の係合突部１２６が引掛用突部１３０に係合した状態となり、２つの係合突部１２５，１２６の間に引掛用突部１３０を収容した状態に維持される。従って、上に重ねた養生カバー１２０と下の養生カバー１２０との間には、隙間が確保された状態となる。これにより、養生カバー１２０が相互に吸着する等の問題を招来するおそれがなく、溶接作業が終了した後に互いに重ねた養生カバー１２０を容易に分解することが可能である。
【００４９】
なお、上述した実施の形態では、引き違い窓用の枠体１０を対象とした養生カバー１１０，１２０を例示しているが、その他の建具の枠体にももちろん適用することが可能である。この場合、枠材の形状に応じて養生カバーの形状を変更しても良いのはもちろんである。枠体としても、必ずしも金属枠部を備えたものである必要はない。また、上枠１１、下枠１２及び縦枠１３，１４のすべてに養生カバー１１０，１２０を装着するようにしているが、例えば上枠の樹脂部が内周側の見付け面にのみ配設された枠体の場合には、縦枠及び下枠にのみ養生カバーを装着するようにしても良い。さらに、縦枠１３，１４の養生カバー１２０と下枠１２の養生カバー１２０とが共通となるように構成しているが、それぞれを個別に構成してもよい。またさらに、アルミニウム合金によって養生カバー１１０，１２０を成形しているため、リユースを考慮した場合に有利となるが、樹脂によって養生カバーを成形することも可能である。
【符号の説明】
【００５０】
１１，１２，１３，１４  枠材、１１Ａ，１２Ａ，１３Ａ，１４Ａ  金属枠部、１１Ｂ，１２Ｂ，１３Ｂ，１４Ｂ  樹脂枠部、  ２５  上外方取付ヒレ部、２８  上内方取付ヒレ部、４５  左外方取付ヒレ部、４８  左内方取付ヒレ部、６３  右外方取付ヒレ部、６６  右内方取付ヒレ部、８７  下内方取付ヒレ部、８８  下外方取付ヒレ部、１００，１０１  ストッパ部材、１１０，１２０  養生カバー、１１１  上方カバー部、１１２  見付けカバー部、１１３，１２４  カバー体、１１４  係止部、１２２，１２３  挟持片部、１２２ａ，１２３ａ  基端部分、１２２ｂ，１２３ｂ  先端部分、１２５，１２６  係合突部、１２７  規制突部、Ｂ  躯体、α  挟角
【図１】
2019190013.tif 000003
【図２】
2019190013.tif 000004
【図３】
2019190013.tif 000005
【図４】
2019190013.tif 000006
【図５】
2019190013.tif 000007
【図６】
2019190013.tif 000008
【図７】
2019190013.tif 000009